(57)【要約】      （修正有）【課題】  運搬時において確実にスペース的なロスを発生させないようにした現金収納カセットを提供する。【解決手段】  紙幣収納カセットは収納部と蓋部３とから構成され、収納部は蛇腹部４と底板部７を有する。底板部７にはベルト１０が取付けられる。蓋部３は収納部に対してファスナー５で開閉可能になっており、ベルト１０を任意の位置で固定する調整固定金具１３が取付けられている。紙幣収納カセット１を運搬する際、紙幣の収納量に応じて蛇腹部４を圧縮し、ベルト１０で固定する。【選択図】  図２
2006209506.tif 000002
【特許請求の範囲】
【請求項１】
上下方向に伸縮可能な収納部を有する媒体収納カセットにおいて、
媒体の収納量に応じて任意に圧縮した状態で前記収納部を固定する固定手段を設けたことを特徴とする媒体収納カセット。
【請求項２】
前記固定手段は前記収納部の複数箇所に設けられたベルトを含む請求項１記載の媒体収納カセット。
【請求項３】
前記収納部には開閉可能な上蓋部が設けられ、該上蓋部には前記ベルトを任意の位置で固定する金具が設けられる請求項２記載の媒体収納カセット。
【請求項４】
前記収納部の底部には剛性を有する板状部材が取付けられ、前記ベルトは該板状部材に取付けられる請求項３記載の媒体収納カセット。
【請求項５】
前記上蓋部の、該上蓋部が閉じられた状態で収納された媒体に対向する位置にバネ部材を設け、媒体が収納された状態で前記収納部を圧縮すると該バネ部材が媒体を押圧する請求項１乃至請求項４のいずれかに記載の媒体収納カセット。
【請求項６】
前記上蓋部に、前記収納部に収納した媒体を目視可能とする窓部を形成した請求項１乃至請求項４のいずれかに記載の媒体収納カセット。
【請求項７】
前記上蓋部の角部および前記板状部材の角部に緩衝部材を取り付けた請求項４記載の媒体収納カセット。
【請求項８】
請求項１乃至７のいずれかに記載の媒体収納カセットを装着した入金装置。
【発明の詳細な説明】
【技術分野】
【０００１】
本発明は、スーパーマーケットをはじめとする小売店等の店舗に設置された入金装置に装着される媒体収納カセットおよび該媒体収納カセットが装着される入金装置に関する。
【背景技術】
【０００２】
従来、スーパーマーケットをはじめとする小売店等の店舗によっては、売上金を入金する機能を有する入金装置が設置されている。入金装置には現金収納カセットが装着されており、店の売上金を集計して現金収納カセット内に収納する。現金収納カセットは入金装置に対して着脱可能になっており、売上金が収納された現金収納カセットは入金装置から取り外されて、資金管理センタへ運搬されるようになっている。
【０００３】
現金収納カセットの取扱管理は警備保障会社に委託されている場合が多い。この場合警備保障会社の担当者は、資金管理センタで予め中身の確認された空の現金収納カセットを受け取り、この現金収納カセットを小売店に持ち込み、店舗内の入金装置に装着してある現金収納カセットを取り外し、持ち込んだ空の現金収納カセットを入金装置に装着して交換する。そして取り外した現金収納カセットを資金管理センタへ搬送する。
【０００４】
現金収納カセットには売上金が収納されるが、売上金の額は曜日や特売日か否か等により異なり、現金収納カセット内に収納される現金の収納量が異なって、現金の収納量が少ない場合、現金収納カセット内に空スペースができる。警備保障会社の担当者は現金収納カセットを運搬する際に専用のトランクを使用しており、現金収納カセットをトランクの中に入れて運搬している。資金管理センタから小売店へ現金収納カセットを運搬する場合は現金収納カセットは当然空になっているので、上記担当者が運搬するトランクの中に収容された現金収納カセットの中は空スペースになっている場合が多い。
【０００５】
現金収納カセット内に空スペースが多いことは運搬時にスペース的なロスを発生させ、運搬効率の低下につながる。例えば、現金輸送車の荷台スペースにおいて、現金収納カセットの空スペースの分も荷台スペースを必要とし、無駄な収容容積を発生させる。
【０００６】
このような問題に対して、従来、特開２０００−１４９０８８号公報に開示されるように、現金収納カセットを蛇腹構造にすることが提案されている。現金収納カセットを蛇腹構造にすることにより、現金の収納量に応じて現金収納カセットを伸縮させることができ、収納量が少ない場合は現金収納カセットを小さくすることができる。上記文献に開示されるソフトカセットには、容積圧縮バネが内蔵され、この容積圧縮バネはカセット内に紙幣が収納されるに従って、その集積荷重に応じて下方に伸張するようになっており、ソフトカセットを持ち運びする際、容積圧縮作用が働いて収納されている集積紙幣の上下方向を揺動規制するようになっている。
【特許文献１】特開２０００−１４９０８８号公報
【発明の開示】
【発明が解決しようとする課題】
【０００７】
しかしながら上記特許文献１に開示される現金収納カセットにおいては、内蔵されている容積圧縮バネが、紙幣の収納量が少ない場合はカセットの空スペースを圧縮するように作用するが、同時に容積圧縮バネは、紙幣が収納されるに連れて伸張しなければならないので、この容積圧縮バネの圧縮力をそれほど強くすることはできない。そのため収納カセットを運搬する際に、空スペースを持った収納カセットに上下方向の力が加わった場合には、この収納カセットが引き伸ばされる惧れがあった。収納カセットが引き伸ばされた場合、運搬時にスペース的なロスを発生させ、運搬効率の低下につながることになる。
【０００８】
そこで本発明は、運搬時において確実にスペース的なロスを発生させないようにした現金収納カセットを提供することを目的とする。
【課題を解決するための手段】
【０００９】
上記課題を解決するために本発明は、上下方向に伸縮可能な収納部を有する媒体収納カセットにおいて、媒体の収納量に応じて任意に圧縮した状態で収納部を固定する固定手段を設けたことを特徴とするものである。
【００１０】
固定手段としては収納部の複数箇所に設けられたベルトで構成するようにし、さらに、収納部に開閉可能な上蓋部を設け、該上蓋部にベルトを任意の位置で固定する金具を設けるようにするとよい。また、収納部の底部に剛性を有する板状部材を取付け、ベルトをこの板状部材に取付けるようにするとよい。
【発明の効果】
【００１１】
本発明によれば、媒体の収納量に応じて任意に圧縮した状態で収納部を固定する固定手段を設けたので、現金収納カセットの運搬時に上下方向に不意の力が加えられた場合でも現金収納カセットが伸張することはなく安定した運搬が可能となる。
【発明を実施するための最良の形態】
【００１２】
以下、本発明の実施の形態を図面にしたがって説明する。各図面に共通する要素には同一の符号を付す。図１は実施の形態の紙幣収納カセットを示す側面図、図２は実施の形態の紙幣収納カセットを示す背面図である。なお本実施の形態では現金収納カセットとして紙幣収納カセットを例に説明する。
【００１３】
図１、図２において、現金収納カセットとしての紙幣収納カセット１は、本体部を構成する収納部２と収納部２に対して開閉可能に取付けられた蓋部３とから構成される。収納部２の周囲は蛇腹部４で構成され、蛇腹部４の上部にはファスナー部５が形成されるとともに蝶番６が設けられている。蛇腹部４は内部に紙幣を収納可能に形成され、上下方向に伸縮自在で形成されている。ファスナー部５は、カセット１の３周面に渡って形成され、さらに蝶番６が設けられた面（背面）の両端部に形成されている。したがってファスナー部５をすべて開けることにより、蓋部３が開放可能になる。なおファスナー部５に鍵を取付け、管理者にしか開けられないようにすることが望ましい。蝶番６は収納部２および蓋部３の両方に取付けられている。
【００１４】
収納部２の下部には底板部７が設けられている。底板部７は剛性を有する部材、例えば、プラスチック部材で構成され、蛇腹部４の底部を構成し、紙幣を収納する底面を有する。底板部７の両側面側には固定金具８が形成され、背面側に下部装着部９が形成されている。固定金具８はベルト１０の端部を固定する。ベルト１０はカセット１の両側面側に配設される。下部装着部９は、図３に示すように、矩形の開口の形状に形成され、ここに入金装置の装着部が挿入される。
【００１５】
蓋部３は上蓋部１１と下蓋部１２とから構成され、両者は一体に形成されている。下蓋部１２の両側面側には調整固定金具１３が設けられ、背面側に紙幣挿入口１４が形成されている。調整固定金具１３はベルト１０を任意の位置で固定可能になっている。紙幣挿入口１４は、紙幣収納カセット１が入金装置に装着された際に入金装置から送られてくる紙幣が挿入される開口部である。紙幣挿入口１４は、図示するように、外側においては上下方向の幅が広く、内側においては幅が狭くなっている。このように形成することにより、紙幣収納カセット１を横倒しにした場合でも中の紙幣が紙幣挿入口１４から外へ出ないようになっている。勿論他の方法で内部の紙幣の漏出を防止するようにしてもよい。
【００１６】
上蓋部１１の両側面部には軸１５が設けられ、軸１５に取っ手１６が回転可能に取付けられている。上蓋部１１の背面側には上部装着部１７が形成されており、上部装着部１７は、下部装着部９と同様に、矩形の開口の形状に形成され、入金装置の装着部が挿入されるようになっている。
【００１７】
図３は実施の形態の紙幣収納カセットを示す断面図で、紙幣Ｐが収納された状態を示す。図３において、収納部２の内部には紙幣収納領域１８が形成されている。蓋部３の内部には板バネ１９が設けられており、板バネ１９は紙幣挿入口１４から入ってくる紙幣Ｐを紙幣収納領域１８に案内するとともに、収納部２が収縮して紙幣Ｐに圧接したときに紙幣Ｐを押圧する機能を有する。
【００１８】
次に実施の形態における紙幣収納カセットの交換作業について説明する。警備保障会社の担当者は、資金管理センタで予め中身を確認された空の紙幣収納カセット１を小売店等の店舗へ運搬する。入金装置の設置してある店舗において、担当者は、まず入金装置に既に装着されている紙幣収納カセット１を取り外す。この状態を図４に示す。
【００１９】
図４において、符号２１、２２は図示しない入金装置に設けられ、紙幣収納カセット１を装着するための装着部材である。上部装着部材２１が紙幣収納カセット１の上部装着部１７に挿入され、下部装着部材２２が下部装着部９に挿入されることにより紙幣収納カセット１は入金装置に装着される。担当者が上下部装着部材２１、２２から紙幣収納カセット１を抜き取ることにより取り外す。
【００２０】
取り外された紙幣収納カセット１は、内部に収納されている紙幣Ｐの収納量に応じて、図５に示すように、蛇腹部４を圧縮され、圧縮した状態でベルト１０を調整固定金具１３で固定する。このとき、紙幣収納カセット１の内部において、図３に示す板バネ１９が収納されている紙幣Ｐの上部を押圧し、紙幣Ｐは上下方向への移動が規制される。担当者はこの状態で紙幣収納カセット１を資金管理センタへ運搬する。
【００２１】
紙幣収納カセット１はベルト１０により蛇腹部４を圧縮された状態で固定されているので、運搬時に無駄なスペースを占領することなく、また不意の力が加えられても途中で大きさが大きくなることはなく、安定した状態で運搬することができる。
【００２２】
一方、店舗に持ち込まれた空の紙幣収納カセット１は、ベルト１０を調整固定金具１３から取り外して入金装置の上下部装着部材２１、２２に装着する。装着は図４で説明した動作と反対に行う。装着が完了すると、入金装置の紙幣収納枚数カウンタをクリアし、下部装着部材２２を上昇させる。下部装着部材２２を上昇させることにより、底板部７が上昇し、それに伴って紙幣収納カセット１の蛇腹部４が圧縮され、内部の紙幣収納領域１８が上下方向に小さくなる。
【００２３】
下部装着部材２２は、紙幣収納カセット１の紙幣収納領域１８が紙幣収納開始位置になるまで上昇する。即ち、紙幣挿入口１４から挿入される紙幣Ｐが紙幣収納領域１８内に入り、板バネ１９にガイドされて底板部７上へ整列集積する位置まで底板部７が上昇される。これにより新たな空の紙幣収納カセット１に紙幣を収納可能になる。
【００２４】
入金処理が開始されると、図示しない入金装置から送られてきた紙幣Ｐは紙幣挿入口１４から挿入される。挿入された紙幣Ｐは板バネ１９にガイドされて紙幣収納領域１８に集積される。紙幣Ｐが収納される毎に入金装置は紙幣収納枚数をカウントする。枚数カウント値が所定の値になると、即ち、紙幣収納カセット１内に所定の量の紙幣Ｐが収納されると、入金装置は下部装着部材２２を下降させ、紙幣収納カセット１の底板部７を下降させる。これにより既に収納された紙幣Ｐの上方にスペースができ、さらに紙幣Ｐを収納することが可能になる。入金装置は下部装着部材２２の下降動作を紙幣Ｐの所定枚数収納毎に行う。
【００２５】
一方、警備保障会社の担当者は店舗から回収した紙幣収納カセット１を資金管理センタへ持ち込む。資金管理センタの担当者は、持ち込まれた紙幣収納カセット１から紙幣Ｐを回収する回収作業を行う。資金管理センタの担当者は、まず、紙幣収納カセット１のベルト１０を調整固定金具１３から外し、ファスナー５を開く。これにより蓋部３が開放可能になる。
【００２６】
図６に示すように、蓋部３を蝶番６を中心に回動させて蓋部３を開く。そして収納部２から紙幣Ｐを取り出し、紙幣の回収を行う。すべての紙幣Ｐが取り出されると、収納部２の蛇腹部４を圧縮させ、圧縮した状態でベルト１０を調整固定金具１３で係合させ、空の紙幣収納カセット１を圧縮した状態で固定する。これにより再び小売店等の店舗に持ち込み可能となる。この場合も空の紙幣回収カセット１は圧縮した状態でベルト１０により確実に固定されているので、運搬途中で大きさが膨らむことはない。
【００２７】
以上のように本実施の形態によれば、ベルト１０および調整固定金具１３により紙幣収納カセット１を圧縮した状態で固定するようにしたので、運搬途中で紙幣収納カセット１に不意の力が加えられても膨らむことはなく、大きさが安定した状態で運搬可能になる。
【００２８】
図７は本実施の形態の第１の変形例を示す平面図である。図７において、第１の変形例の紙幣収納カセット２５の蓋部３の上部には窓部２６が形成されている。窓部２６には透明部材２７が嵌め込まれ、上方から紙幣収納カセット２５の内部を覗き見ることができる。したがって内部における紙幣Ｐの有無を確認することができる。
【００２９】
このように蓋部３に窓部２６を設けたことにより、紙幣収納カセット２５内の紙幣の有無を確認することができ、例えば、資金管理センタにおいて紙幣収納カセットの中身の確認作業および中身の確認作業に引き続くカセットの入れ替え作業を容易に行うことができるようになる。
【００３０】
窓部２６の大きさは任意に変えることができる。例えば、図８、図９に示すように、蓋部３に小さな小窓２８を形成するようにしてもよい。図８、図９は実施の形態の第１の変形例を示す平面図および断面図である。小窓２８は内部の板バネ１９の位置を目視可能な位置に配設されている。紙幣収納カセット２５を入金装置から取り外して蛇腹部４を圧縮してベルト１０で固定する場合、紙幣Ｐが板バネ１９を押し上げる位置までは圧縮するが、小窓２８を設けたことにより、それ以上にどの程度まで圧縮すべきかを判断する場合に、小窓２８から板バネ１９の上昇の程度を目視確認することにより判断することが可能になる。勿論、図７に示す窓部２６でもこのことは可能である。
【００３１】
図１０、図１１は実施の形態の第２の変形例を示す平面図および背面図である。両図において、第２の変形例の紙幣収納カセット３０の各コーナー（角部）には衝撃吸収材３１が設けられている。衝撃吸収材３１はゴム材で形成されており、直接的には蓋部３および底板部７に取付けられている。衝撃吸収材３１は、衝撃を吸収し、とくに蓋部３および底板部７を保護する役目を果たすが、蓋部３および底板部７に取付けたことにより、紙幣収納カセット３０の圧縮動作に影響を与えることはない。
【００３２】
このように衝撃吸収材３１を設けたことにより、運搬時の紙幣収納カセット３０を安全に保護することができ、運搬作業が容易になり、さらに紙幣収納カセット３０の長寿命化を図ることができる。なお衝撃吸収材の形状は図示するものに限らず、例えば、蓋部３または底板部７の側辺に渡って長く形成するようにしてもよい。
【００３３】
本発明はさらに他の変形が可能である。例えば、上記実施の形態では、紙幣収納カセット１の上部装着部１７および下部装着部９に入金装置の上下部装着部材２１、２２を挿入することにより紙幣収納カセット１を装着するようにしているが、下部装着部材２２を挿入する代わりに、下部装着部材を磁石で下部装着部９に吸着させて紙幣収納カセット１の収納部２を上下動させるようにしてもよい。
【図面の簡単な説明】
【００３４】
【図１】実施の形態の紙幣収納カセットを示す側面図である。
【図２】実施の形態の紙幣収納カセットを示す背面図である。
【図３】実施の形態の紙幣収納カセットを示す断面図である。
【図４】紙幣収納カセットの取り外し状態を示す説明図である。
【図５】紙幣収納カセットを圧縮して固定する状態を示す説明図である。
【図６】紙幣収納カセットの蓋部を開けた状態を示す平面図である。
【図７】実施の形態の第１の変形例を示す平面図である。
【図８】実施の形態の第１の変形例を示す平面図である。
【図９】実施の形態の第１の変形例を示す断面図である。
【図１０】実施の形態の第２の変形例を示す平面図である。
【図１１】実施の形態の第２の変形例を示す背面図である。
【符号の説明】
【００３５】
１    紙幣収納カセット
２    収納部
３    蓋部
４    蛇腹部
７    底板部
１０  ベルト
１３  調整固定金具
１９  板バネ
２６  窓部
３１  衝撃吸収材
【図１】
2006209506.tif 000003
【図２】
2006209506.tif 000004
【図３】
2006209506.tif 000005
【図４】
2006209506.tif 000006
【図５】
2006209506.tif 000007
【図６】
2006209506.tif 000008
【図７】
2006209506.tif 000009
【図８】
2006209506.tif 000010
【図９】
2006209506.tif 000011
【図１０】
2006209506.tif 000012
【図１１】
2006209506.tif 000013